(57)【要約】【課題】粘着剤転写済みの用紙の用紙長さを短く形成する場合でも、用紙排出口から突出させた粘着剤転写済みの用紙を人手で確実に把持できるメモプリンタを提供する。【解決手段】粘着剤転写具５０を用いて粘着剤テープ５４に付着させた粘着剤５４ｎをロール状の用紙Ｐ上に転写する際に、とくに、用紙搬送ローラ対６０，７５が挟持する挟持点から筐体２０の用紙排出口２０ｂまでの用紙搬送路に沿った排出距離Ｋを記憶する記憶手段（９０ｃ）と、粘着剤転写済みの用紙Ｐｎに対してジョブ情報に基づく用紙長さＬ１が排出距離Ｋよりも短い場合には、排出距離Ｋよりも長くなるようにジョブ情報に基づく用紙長さＬ１に所定の延長量Ｌαを加算した延長量加算長さＬ２で切断し、一方、ジョブ情報に基づく用紙長さＬ３が排出距離Ｋよりも長い場合には、ジョブ情報に基づく用紙長さＬ３で切断するように切断手段４０を制御する制御手段９０と、を備えている。【選択図】図１１
2015080859.tif 000002
【特許請求の範囲】
【請求項１】
ロール状に巻回した用紙を装填するロール紙装填部と、前記用紙を排出する用紙排出口とを有する筐体と、
前記ロール紙装填部よりも用紙搬送方向の下流側に設置され、前記ロール紙装填部から送り出される前記用紙の一方の面に対してジョブ情報に基づき印刷する印刷手段と、
前記印刷手段よりも用紙搬送方向の下流側で前記用紙と対向した位置に設置された転写ローラを有し、前記転写ローラを介して粘着剤を前記用紙の他方の面に転写するための粘着剤転写具と、
前記印刷手段よりも用紙搬送方向の下流側に設置され、前記用紙を用紙搬送方向と直交する用紙幅方向に沿って切断する切断手段と、
粘着剤転写済みの用紙を前記用紙排出口に向けて挟持搬送する用紙搬送ローラ対と、
前記用紙搬送ローラ対が挟持する挟持点から前記用紙排出口までの用紙搬送路に沿った排出距離を記憶する記憶手段と、
前記粘着剤転写済みの用紙に対して前記ジョブ情報に基づく用紙長さが前記排出距離よりも短い場合には、前記排出距離よりも長くなるように前記ジョブ情報に基づく用紙長さに所定の延長量を加算した延長量加算長さで切断し、一方、前記ジョブ情報に基づく用紙長さが前記排出距離よりも長い場合には、前記ジョブ情報に基づく用紙長さで切断するように前記切断手段を制御する制御手段と、
を備えたことを特徴とするメモプリンタ。
【請求項２】
前記粘着剤転写済みの用紙に対して前記ジョブ情報に基づく用紙長さが前記排出距離よりも短い場合には、前記切断手段により前記ジョブ情報に基づく用紙長さの位置でハーフカットし、且つ、前記延長量加算長さの位置でフルカットすることを特徴とする請求項１記載のメモプリンタ。
【発明の詳細な説明】
【技術分野】
【０００１】
本発明は、ロール状に巻回した用紙にメモなどの情報を印刷手段により印刷した後に、印刷済みの用紙上に剥離可能な粘着剤を粘着剤転写具の転写ローラにより転写し且つ粘着剤を転写した用紙を切断手段により切断して、付箋紙などの印刷物を作成できるメモプリンタに関する。
【背景技術】
【０００２】
一般的に、小型軽量で消費電力が小さいメモプリンタは、メモとして残しておきたい情報などを印刷して、付箋紙などの形態で印刷物を作成するのに適している。
【０００３】
この種のメモプリンタの一例として、ロール状に巻回した記録紙上にメモなどの情報を印刷した後に、印刷済みの記録紙上に粘着剤を転写し且つ粘着剤を転写した記録紙を切断して、付箋紙などの印刷物を作成できるプリンタがある（例えば、特許文献１参照）。
【０００４】
まず、上記特許文献１に開示されたプリンタは、ここでの図示を省略するが、プリンタ本体部内に、ロール状に巻回した記録紙を装填するロール紙装填部と、このロール紙装填部よりも下流側でロール状の記録紙にメモなどの情報を印刷する記録ヘッド（サーマルヘッド）と、この記録ヘッドに記録紙を介して接するプラテンローラと、印刷済みの記録紙を切断するオートカッターとを備えている。
【０００５】
また、オートカッターよりも下流側に粘着剤転写部と、この粘着剤転写部と対向した押圧機構とを備えている。
【０００６】
ここで、上記した粘着剤転写部は、供給ドラムと巻取ドラムとの間に粘着剤（糊）を付着させた粘着剤テープが巻回されている。また、供給ドラムと巻取ドラムとの間には、粘着剤テープのベースフィルム側に接するように転写ローラが、記録紙搬送方向と直交する記録紙幅方向に沿って設けられた一つの回転軸の中央部位に取り付けられていると共に、一つの回転軸上で転写ローラを挟んだ両端側に記録紙を搬送するための一対の繰り出しローラが取り付けられている。
【０００７】
一方、押圧機構は、平板状の加圧プラテン（押圧部材）がプランジャを介して粘着剤転写部の転写ローラ及び一対の繰り出しローラに接離自在になっている。
【０００８】
上記のように構成した従来のプリンタでは、記録ヘッドとプラテンローラとの間でロール状の記録紙を挟持搬送しながらメモなどの情報を印刷した後に、押圧機構により粘着剤テープに記録紙を圧接する圧接状態と、圧接しない非圧接状態とを交互に繰り返している。
【０００９】
そして、この間欠的な圧接動作の間に転写位置で記録紙を搬送するか、もしくは、切断済みの記録紙片を人手で引っ張って取り出すと、転写位置を通る記録紙の部分に粘着剤が転写されるので、付箋紙などの印刷物を作成できる。
【先行技術文献】
【特許文献】
【００１０】
【特許文献１】特開２０１１−２３５５９５号公報
【発明の概要】
【発明が解決しようとする課題】
【００１１】
ところで、特許文献１に開示されたプリンタでは、粘着剤テープに付着させた粘着剤（糊）を印刷済みの記録紙上に転写して、オートカッターにより切断した後に、粘着剤転写済みの記録紙片を粘着剤転写部から人手で引っ張って取り出す際、粘着剤転写済みの記録紙片の用紙長さを短く形成したい場合に、用紙長さが短い粘着剤転写済みの記録紙片を人手で把持できないので粘着剤転写部から取り出すことができないという問題がある。
【００１２】
そこで、粘着剤テープに付着させた粘着剤をロール状の印刷済みの用紙又は印刷していない用紙上に転写し、且つ、粘着剤転写済みの用紙を切断して筐体の用紙排出口から排出するときに、粘着剤転写済みの用紙の用紙長さを短く形成する場合でも、用紙排出口から突出させた粘着剤転写済みの用紙を人手で確実に把持できるように構成したメモプリンタを提供することを目的とする。
【課題を解決するための手段】
【００１３】
本発明は上記課題に鑑みてなされたものであり、請求項１記載の発明は、ロール状に巻回した用紙を装填するロール紙装填部と、前記用紙を排出する用紙排出口とを有する筐体と、
前記ロール紙装填部よりも用紙搬送方向の下流側に設置され、前記ロール紙装填部から送り出される前記用紙の一方の面に対してジョブ情報に基づき印刷する印刷手段と、
前記印刷手段よりも用紙搬送方向の下流側で前記用紙と対向した位置に設置された転写ローラを有し、前記転写ローラを介して粘着剤を前記用紙の他方の面に転写するための粘着剤転写具と、
前記印刷手段よりも用紙搬送方向の下流側に設置され、前記用紙を用紙搬送方向と直交する用紙幅方向に沿って切断する切断手段と、
粘着剤転写済みの用紙を前記用紙排出口に向けて挟持搬送する用紙搬送ローラ対と、
前記用紙搬送ローラ対が挟持する挟持点から前記用紙排出口までの用紙搬送路に沿った排出距離を記憶する記憶手段と、
前記粘着剤転写済みの用紙に対して前記ジョブ情報に基づく用紙長さが前記排出距離よりも短い場合には、前記排出距離よりも長くなるように前記ジョブ情報に基づく用紙長さに所定の延長量を加算した延長量加算長さで切断し、一方、前記ジョブ情報に基づく用紙長さが前記排出距離よりも長い場合には、前記ジョブ情報に基づく用紙長さで切断するように前記切断手段を制御する制御手段と、
を備えたことを特徴とするメモプリンタである。
【００１４】
また、請求項２記載の発明は、上記した請求項１記載のメモプリンタにおいて、
前記粘着剤転写済みの用紙に対して前記ジョブ情報に基づく用紙長さが前記排出距離よりも短い場合には、前記切断手段により前記ジョブ情報に基づく用紙長さの位置でハーフカットし、且つ、前記延長量加算長さの位置でフルカットすることを特徴とするメモプリンタである。
【発明の効果】
【００１５】
請求項１記載のメモプリンタによると、粘着剤転写具を用いて粘着剤テープに付着させた粘着剤をロール状の用紙上に転写する際に、とくに、用紙搬送ローラ対が挟持する挟持点から筐体の用紙排出口までの用紙搬送路に沿った排出距離を記憶する記憶手段と、粘着剤転写済みの用紙に対してジョブ情報に基づく用紙長さが排出距離よりも短い場合には、排出距離よりも長くなるようにジョブ情報に基づく用紙長さに所定の延長量を加算した延長量加算長さで切断し、一方、ジョブ情報に基づく用紙長さが排出距離よりも長い場合には、ジョブ情報に基づく用紙長さで切断するように切断手段を制御する制御手段と、を備えている。これにより、粘着剤転写済みの用紙の用紙長さを短く形成する場合でも、用紙排出口から突出させた糊転写粘着剤転写済みの用紙を人手で確実に把持できる。勿論、粘着剤転写済みの用紙の用紙長さを長く形成する場合も用紙排出口から突出させた糊転写粘着剤転写済みの用紙を人手で確実に把持できる。
【００１６】
また、請求項２記載のメモプリンタによると、粘着剤転写済みの用紙に対してジョブ情報に基づく用紙長さが排出距離よりも短い場合には、切断手段によりジョブ情報に基づく用紙長さの位置でハーフカットし、且つ、延長量加算長さの位置でフルカットしている。これにより、筐体の用紙排出口に突出させた粘着剤転写済みの用紙を人手で把持しながら用紙搬送ローラ対間から引き抜いた後に、糊転写済みの用紙中でハーフカットした部位を人手で引き裂いて用紙長さが短い糊転写済みの用紙を得ることができる。
【図面の簡単な説明】
【００１７】
【図１】（ａ），（ｂ）は本発明に係るメモプリンタの外観形状を斜視的に示した外観斜視図である。
【図２】本発明に係るメモプリンタの全体構成を概念的に示した構成図である。
【図３】本発明に係るメモプリンタにおいて、筐体を取り外したときの構成を示した斜視図である。
【図４】本発明に係るメモプリンタにおいて、用紙を切断手段により切断する前の状態を示した斜視図である。
【図５】本発明に係るメモプリンタにおいて、用紙を切断手段によりハーフカットする状態を示した斜視図である。
【図６】本発明に係るメモプリンタにおいて、用紙を切断手段によりフルカットする状態を示した斜視図である。
【図７】（ａ），（ｂ）は本発明に係るメモプリンタにおいて、粘着剤転写済みの用紙を短く形成する場合を示した表面図，裏面図である。
【図８】（ａ）〜（ｃ）は本発明に係るメモプリンタにおいて、粘着剤転写済みの用紙を短く形成する場合の動作を示した動作図である。
【図９】（ａ），（ｂ）は本発明に係るメモプリンタにおいて、粘着剤転写済みの用紙を長く形成する場合を示した表面図，裏面図である。
【図１０】（ａ）〜（ｃ）は本発明に係るメモプリンタにおいて、粘着剤転写済みの用紙を長く形成する場合の動作を示した動作図である。
【図１１】本発明に係るメモプリンタの動作を説明するためのフロー図である。
【発明を実施するための形態】
【００１８】
以下に本発明に係るメモプリンタの一実施形態について、図１〜図１１を参照して詳細に説明する。
【００１９】
本発明に係るメモプリンタは、粘着剤テープをカセットケース内に収納した粘着剤転写具を用いて、この粘着剤転写具の転写ローラにより粘着剤テープに付着させた粘着剤をロール状に巻回した用紙上に転写し、且つ、粘着剤転写済みの用紙を切断して筐体の用紙排出口から排出させるときに、粘着剤転写済みの用紙の用紙長さを短く形成する場合でも、用紙排出口から突出させた粘着剤転写済みの用紙を人手で確実に把持できるように構成されている。
【００２０】
図１は本発明に係るメモプリンタの外観形状を斜視的に示しており、（ａ）は粘着剤転写済みの用紙を保持している状態を示し、（ｂ）は粘着剤転写済みの用紙を人手で把持している状態を示している。
【００２１】
図１（ａ），（ｂ）に示す如く、本発明に係るメモプリンタ１０は、小型軽量で消費電力が小さく、且つ、印刷時及び粘着剤転写時のジョブ情報を入力するためにパソコンＰＣと接続可能になっている。
【００２２】
尚、本発明に係るメモプリンタ１０において、用紙Ｐの搬送方向の上流側を前方側と呼称し、且つ、用紙Ｐの搬送方向の下流側を後方側と呼称すると共に、用紙Ｐを前方側から見たときに用紙幅方向に対して左右を図示の如く設定して以下説明する。
【００２３】
また、上記したメモプリンタ１０の外観を形成する筐体２０は、底枠２１と、底枠２１の前方上方部位に開閉自在に取り付けられた前蓋２２と、底枠２１の後方部位に開閉自在に取り付けられた後蓋２３とを突き合わせて小型な箱状に形成されている。
【００２４】
また、筐体２０の前蓋２２の上方部位には、後述する粘着剤転写具５０を外部に露出した状態で着脱自在に係合させる転写具係合部２０ａが用紙Ｐの一方の端部側（例えば、右端部側）に偏奇させた位置に形成されている。
【００２５】
また、前蓋２２と後蓋２３とが前後方向の略中間部位で突き合わされており、前蓋２２の天面２２ａと後蓋２３の天面２３ａとを突き合せた部位に後述する粘着剤転写済みの用紙Ｐｎを排出させるための用紙排出口２０ｂが用紙排出方向と直交する用紙幅方向に沿って開口されている。
【００２６】
そして、図１（ａ）に示すように、粘着剤転写済みの用紙Ｐｎをメモプリンタ１０内に保持する場合には、粘着剤転写済みの用紙Ｐｎの先端部を筐体２０の用紙排出口２０ｂから僅かに突出させている。
【００２７】
また、図１（ｂ）に示すように、粘着剤転写済みの用紙Ｐｎを人手Ｈで把持する場合には、粘着剤転写済みの用紙Ｐｎの先端部を筐体２０の用紙排出口２０ｂから図１（ａ）に示した状態よりも長く突出させている。
【００２８】
ここで、本発明に係るメモプリンタ１０の構成部材について、図２〜図６を用いて説明する。
【００２９】
図２は本発明に係るメモプリンタの全体構成を概念的に示している。また、図３は本発明に係るメモプリンタにおいて、筐体を取り外したときの構成を斜視的に示している。図４〜図６は切断手段により、用紙を切断する前の状態，用紙をハーフカットする状態，用紙をフルカットする状態を斜視的に示している。
【００３０】
図２及び図３に示す如く、本発明に係るメモプリンタ１０では、ロール状に巻回した未印刷の用紙Ｐが筐体２０内に設けた下フレーム２４（図３のみ図示）と、この下フレーム２４の支持部２４ａに開閉自在に設けた上フレーム２５（図３のみ図示）との間に形成したロール紙装填部２０ｃに回転自在に装填されている。そして、上フレーム２５を開くことにより用紙Ｐの交換が可能になっている。
【００３１】
また、筐体２０内に設けたロール紙装填部２０ｃよりも用紙搬送方向の下流には、光反射型の用紙有無検出センサ２６が設置されており、この用紙有無検出センサ２６で用紙Ｐがロール紙装填部２０ｃに装填されているか否かを後述する制御手段９０を介して検出している。
【００３２】
また、筐体２０内でロール紙装填部２０ｃ及び用紙有無検出センサ２６よりも用紙搬送方向の下流側には、用紙Ｐにメモなどの情報を必要に応じて印刷する印刷手段３０が設置されている。また、印刷手段３０よりも用紙搬送方向の下流側には、印刷済みの用紙Ｐ又は印刷していない用紙Ｐを切断する切断手段４０が設置されている。
【００３３】
上記した印刷手段３０は、ロール状の用紙Ｐとして感熱紙を適用した場合に、用紙Ｐの搬送方向と直交する用紙幅方向に沿って長尺に形成されたサーマルヘッド３１と、正逆転可能な印刷用プラテンモータ（以下、第１パルスモータと記す）３２と、この第１パルスモータ３２に連結された不図示の第１減速ギア列を介して時計方向又は反時計方向に回転すると共に用紙Ｐの幅方向に沿って長尺に形成された印刷用プラテンローラ（以下、第１プラテンローラと記す）３３とからなる。
【００３４】
そして、ロール紙装填部２０ｃに装填された未印刷の用紙（感熱紙）Ｐをサーマルヘッド３１と第１プラテンローラ３３との間で挟持しながらパソコンＰＣからのジョブ情報に基づいてメモ情報などを感熱印刷して用紙搬送方向の下流側に向かって搬送している。
【００３５】
尚、未印刷の用紙Ｐ上に印刷をしない場合には、サーマルヘッド３１に信号を印加せずにこのサーマルヘッド３１を第１プラテンローラ３３に圧接することで、印刷していない用紙Ｐを切断手段４０に送ることができる。
【００３６】
また、上記した切断手段４０は、印刷手段３０と後述する粘着剤転写具５０との間に設置されており、本発明の要部の一部を構成している。
【００３７】
この切断手段４０は、固定カッター４１と、可動カッター４２と、可動カッター４２を駆動するカッターモータ（以下、第２パルスモータと記す）４３と、光反射型のカッターＨＰ検出センサ４４とからなる。
【００３８】
より具体的には、後述する粘着剤転写用プラテンローラ７５を取り除いた状態で図４に示す如く、切断手段４０では、固定カッター４１が下フレーム２４の上部後方側に形成したカッター支持部２４ｂ上に固定して取り付けられており、この固定カッター４１の刃は前方に向かって用紙幅方向に沿いながら直線的に形成されている。
【００３９】
また、可動カッター４２は、上フレーム２５の裏面後方側に第２パルスモータ４３と不図示のギア列を介して連結され、且つ、固定カッター４１に向かって移動可能に取り付けられている。この可動カッター４２の刃は、用紙幅方向の左右端よりも用紙幅方向の中央部位が窪んでいるので、用紙幅方向に沿って逆く字状に形成されている。
【００４０】
そして、図４に示す如く、用紙Ｐをカットする前の状態では、可動カッター４２が固定カッター４１に対して僅かに離間しており、両カッター４１，４２間に用紙Ｐが進入可能になっている。
【００４１】
また、図５に示す如く、後述する粘着剤転写済みの用紙Ｐｎをハーフカットする状態では、可動カッター４２が固定カッター４１上に向かって少量移動して、可動カッター４２の逆く字状の刃で用紙幅方向の左右端側をカットするも、用紙幅方向の中央部位をカットせずに残すことで粘着剤転写済みの用紙Ｐｎをハーフカットするようになっている。
【００４２】
更に、図６に示す如く、粘着剤転写済みの用紙Ｐｎをフルカットする状態では、可動カッター４２が固定カッター４１上に向かってハーフカット位置よりも更に移動して、可動カッター４２の逆く字状の刃で用紙幅方向に沿って粘着剤転写済みの用紙Ｐｎをフルカットするようになっている。
【００４３】
尚、図５及び図６において、可動カッター４２は固定カッター４１に向かって鋏みと同様に移動して、両カッター４１，４２間に粘着剤転写済みの用紙Ｐｎを挟み込んでハーフカット又はフルカットしている。
【００４４】
とくに、粘着剤転写済みの用紙Ｐｎの用紙長さを短く形成する場合に、用紙長さが短い位置でハーフカットし、このハーフカットの位置から所定の延長量だけ延長させた位置でフルカットすることで、筐体２０の用紙排出口２０ｂから突出させた粘着剤転写済みの用紙Ｐｎを人手Ｈ｛図１（ｂ）｝で確実に把持できるようにしている点が本発明の要部となっているが、これについては後で詳述する。
【００４５】
図２及び図３に戻り、切断手段４０よりも用紙搬送方向の下流側には、印刷済みの用紙Ｐに粘着剤（糊）を転写するための転写ローラ５５を有する粘着剤転写具５０と、後述する粘着剤転写用プラテンローラ７５の転写ローラ５５への接離動作に追従して移動する用紙搬送ローラ６０とが設置されている。
【００４６】
上記した粘着剤転写具５０は、先に説明したように、筐体２０の上方部位に形成した転写具係合部２０ａに露出した状態で着脱自在に設置されている。
【００４７】
この粘着剤転写具５０は、略透明なカセットケース５１の幅寸法が用紙Ｐの幅寸法に対して例えば１／５程度に幅狭く形成され、且つ、カセットケース５１の長さが長く形成されている。
【００４８】
また、カセットケース５１内に回転自在に設けた供給リール５２と巻取リール５３とに粘着剤（図示せず）を付着させた粘着剤テープ５４が巻回して収納されている。
【００４９】
また、カセットケース５１の長手方向の先端部５１ａには先端開口部５１ｂが開口されて、この先端開口部５１ｂから転写ローラ５５が外部に向かって露出して、用紙Ｐを挟んで後述する粘着剤転写用プラテンローラ７５と対向している。
【００５０】
また、カセットケース５１の下方には、メモプリンタ１０の筐体２０に形成した転写具係合部２０ａに着脱自在に係合される被係合部５１ｃがカセットケース５１の長手方向に沿って形成されている。
【００５１】
そして、カセットケース５１内の供給リール５２と巻取リール５３との間に巻回した粘着剤テープ５４が転写ローラ５５に巻き付けられており、且つ、転写ローラ５５は印刷手段３０により印刷された印刷済みの用紙Ｐ又は印刷していない用紙Ｐと対向してこの用紙Ｐに接触可能に配置されている。
【００５２】
この際、粘着剤テープ５４は、略透明なベースフィルムの一方の面に、粘着剤として接着能力が比較的弱く何回も剥離できる弱粘着性を有する糊（図示せず）が付着されて、この一方の面側が用紙Ｐと対向する面であり、糊が付着されていないベースフィルムの他方の面側が転写ローラ５５に巻き付いている。
【００５３】
上記により、一方の面側に粘着剤（糊）を付着させた粘着剤テープ５４を他方の面側から転写ローラ５５で用紙Ｐを介して回転中の粘着剤転写用プラテンローラ７５に当接させて、粘着剤（糊）を印刷済みの用紙Ｐ又は印刷していない用紙Ｐ上に転写して粘着剤（糊）転写済みの用紙Ｐｎを作成することができるようになっている。
【００５４】
尚、粘着剤テープ５４に付着させる粘着剤として弱粘着性を有する材料であればいかなる材料でも良いが、この実施形態では粘着剤として糊を用いているので、以下の説明では、粘着剤転写具５０をテープ糊カセット、粘着剤テープ５４をテープ糊と、粘着剤５４ｎ（図７〜図１１）を糊とそれぞれ呼称して同一符番を付して説明する。
【００５５】
更に、供給リール５２には、この同軸上に不図示の摩擦板を介して回転する大径ギア５２ａが設けられ、一方、巻取リール５３には、この同軸上に不図示の逆転防止板を介して回転する小径ギア５３ａが設けられている。
【００５６】
そして、供給リール５２の大径ギア５２ａと、巻取リール５３の小径ギア５３ａとを噛合させているので、転写ローラ５５に巻き付いたテープ糊５４を被転写物となる用紙Ｐに押し当てながら転写ローラ５５を回転させる動作に伴って、供給リール５２から不図示の摩擦板によりバックテンションをかけられて引き出されたテープ糊５４が転写ローラ５５を経由して巻取リール５３に巻き取られるようになっている。
【００５７】
また、上記した用紙搬送ローラ６０は、用紙Ｐの幅方向に沿って転写ローラ５５よりも図示手前側に設置されている。更に、用紙搬送ローラ６０は、図３にも示したように、筐体２０内に設けた上フレーム２５の上面２５ａ上でスライド部材６１及びバネ６２を介して前後方向（矢印方向）にスライド自在に設けられている。
【００５８】
そして、用紙搬送ローラ６０は、後述するように駆動源によって回転駆動される粘着剤転写用プラテンローラ７５上の用紙Ｐの幅方向における転写ローラ５５が接離する部位を除いた部位を常時圧接しているので、粘着剤転写用プラテンローラ７５の回転時に従動回転している。
【００５９】
これにより、用紙搬送ローラ６０と回転中の粘着剤転写用プラテンローラ７５との間で用紙Ｐを挟持しながらこの用紙Ｐを用紙搬送方向の下流側に向かって搬送可能になっていると共に、用紙搬送ローラ６０と停止中の粘着剤転写用プラテンローラ７５と協働して用紙Ｐを保持できるようになっている。
【００６０】
この際、用紙搬送ローラ６０と粘着剤転写用プラテンローラ７５とが粘着剤転写済みの用紙Ｐｎを挟持搬送する用紙搬送ローラ対６０，７５として機能している。
【００６１】
また、筐体２０内の後方には、粘着剤転写用プラテンローラ（以下、第２プラテンローラと記す）７５を転写ローラ５５に接離させる手段として、粘着剤転写用プラテンローラ揺動押圧手段７０と偏心部材駆動手段８０とが設置されている。
【００６２】
上記した粘着剤転写用プラテンローラ揺動押圧手段７０では、図３にも示したように、長尺な揺動アーム７１の一端側を軸支した支点軸７２を揺動支点とし、且つ、一端側と反対の他端側に転写用プラテンモータ（以下、第３パルスモータと記す）７３に連結された減速ギア列７４を介して第２プラテンローラ（粘着剤転写用プラテンローラ）７５が回転自在に取り付けられている。
【００６３】
この際、上記した第２プラテンローラ７５は、用紙Ｐの幅方向に沿って長尺に形成されており、且つ、糊転写済みの用紙Ｐｎを挟んでテープ糊カセット５０の転写ローラ５５と用紙搬送ローラ６０とに対向している。
【００６４】
そして、回転中の第２プラテンローラ７５を介して転写ローラ５５に押圧力を印加したときに、転写ローラ５５と第２プラテンローラ７５との間で糊転写済みの用紙Ｐ及びテープ糊５４を挟持搬送することができるようになっている共に、用紙搬送ローラ６０と停止中の第２プラテンローラ７５との間で糊転写済みの用紙Ｐを保持することができるようになっている。
【００６５】
また、揺動アーム７１は、この揺動アーム７１と不図示の固定部との間に圧縮バネ７６が掛止された状態で偏心部材駆動手段８０により揺動可能になっている。
【００６６】
上記した偏心部材駆動手段８０では、偏心カム用モータ（以下、第４ＤＣモータとも記す）８１と、この第４ＤＣモータ８１に連結された不図示の第４減速ギア列を介して回転する回転軸８２と、この回転軸８２に取り付けられて偏心しながら回転し且つ揺動アーム７１に当接する偏心カム８３と、偏心カム８３を取り付けた回転軸８２に固着された半円板状遮蔽板８４と、この半円板状遮蔽板８４と対向して設置された光透過型の偏心カム位置検出センサ８５とからなる。
【００６７】
この際、偏心カム８３は、第２プラテンローラ７５を転写ローラ５５側に押圧するための大径部８３ａと、第２プラテンローラ７５を転写ローラ５５側から離間させるための小径部８３ｂとを有している。
【００６８】
そして、偏心カム８３の大径部８３ａ又は小径部８３ｂがそれぞれ揺動アーム７１に当接したときの回転位置を半円板状遮蔽板８４と偏心カム位置検出センサ８５とで検出している。
【００６９】
尚、偏心部材駆動手段８０において、揺動アーム７１を揺動させて第２プラテンローラ７５を転写ローラ５５側に接離する機構として回転自在な偏心カム８３を用いたが、これに限ることなく、偏心カム８３に代えて回転軸８２を中心にして回転する不図示の偏心ピンを用いても良い。
【００７０】
更に、メモプリンタ１０を全体的に制御する制御手段９０が、筐体２０内の適宜な場所に設置されている。
【００７１】
上記した制御手段９０は、外部のパソコンＰＣに接続されており、パソコンＰＣから用紙Ｐを印刷するときのジョブ情報として、メモ情報や、印刷される用紙Ｐの前端部及び後端部の各位置情報とか、用紙Ｐの長さ情報などが送られている。
【００７２】
この制御手段９０は、内部にＣＰＵ９０ａと、ＲＯＭ９０ｂと、ＲＡＭ９０ｃと、テーブル９０ｄとを有している。
【００７３】
そして、制御手段９０内のＣＰＵ９０ａは、印刷手段３０と、切断手段４０と、粘着剤転写用プラテンローラ揺動押圧手段７０と、偏心部材駆動手段８０とをそれぞれ制御している。この際。ＣＰＵ９０ａ内に設けた不図示のカウンタは、印刷を開始したときにパソコンＰＣにより指定された用紙Ｐの前端部を印刷開始基準位置として、この印刷開始基準位置を基準として第１パルスモータ３２のパルスを計数している。
【００７４】
これにより、用紙Ｐの前端部を基準として用紙Ｐの搬送位置や用紙長さを第１パルスモータ３２のパルス数の計数により取得している。
【００７５】
また、制御手段９０内のＲＯＭ９０ｂは、メモプリンタ１０の動作プログラムなどを記憶している。
【００７６】
また、制御手段９０内のＲＡＭ９０ｃは、メモプリンタ１０内で変更可能な各種の情報を一時的に記憶している。この際、変更可能な各種の情報として、後述する用紙搬送ローラ６０と第２プラテンローラ７５とが接する接点から筐体２０の用紙排出口２０ｂまでの用紙搬送路に沿った排出距離Ｋ（図８，図１０）を記憶している。言い換えると、ＲＡＭ９０ｃは、用紙搬送ローラ対６０，７５が挟持する挟持点から用紙排出口２０ｂまでの用紙搬送路に沿った排出距離Ｋ（図８，図１０）を記憶している。
【００７７】
また、制御手段９０内のテーブル９０ｄは、後述するようにジョブ情報によって用紙長さＬ１（図７）が短く設定されているときに、筐体２０の用紙排出口２０ｂから突出させた粘着剤転写済みの用紙Ｐｎを人手Ｈで把持するために、短い用紙長さＬ１（図７）に対応して用紙Ｐを延長させる延長量Ｌα（図７）をテーブル形式で記憶しており、短い用紙長さＬ１の各値に応じてそれぞれ所定の延長量Ｌα（図７）が設定されている。
【００７８】
尚、この実施形態では、上記した排出距離Ｋ（図８，図１０）及び延長量Ｌα（図７）を制御手段９０内に記憶して後述するメモプリンタ１０の動作を処理しているが、これに代えてパソコンＰＣ内に記憶しても制御手段９０を介して同様にメモプリンタ１０を動作させることができる。
【００７９】
ここで、本発明の要部となる糊転写済みの用紙Ｐｎに対して切断手段４０によりハーフカット／フルカットする場合について、図７〜図１０を用いて説明する。
【００８０】
図７，図８は粘着剤（糊）転写済みの用紙を短く形成する場合を示している。また、図９，図１０は粘着剤（糊）転写済みの用紙を長く形成する場合を示している。
【００８１】
まず、図７（ａ），（ｂ）に示す如く、糊転写済みの用紙Ｐｎを用紙搬送方向に対して短く形成する場合に、パソコンＰＣ（図１，図２）からのジョブ情報に基づいて未印刷の用紙Ｐの表面Ｐａ上に印刷するメモ情報の印刷長さは、前端部Ｐｆから短い用紙長さＬ１に予め設定されており、この短い用紙長さＬ１の位置がハーフカット位置ＨＣとして設定されている。
【００８２】
また、印刷済みの用紙Ｐの裏面Ｐｂの右端部側に偏奇させて糊（粘着剤）５４ｎを転写するときに、パソコンＰＣ（図１，図２）からのジョブ情報に基づいて糊転写長さも短い用紙長さＬ１に予め設定されている。
【００８３】
そして、糊転写済みの用紙Ｐｎを短い用紙長さＬ１で切断して筐体２０の用紙排出口２０ｂ（図１，図２）から排出する場合に、短い用紙長さＬ１では糊転写済みの用紙Ｐｎの前端部Ｐｆが用紙排出口２０ｂから突出しないために人手で把持できないので、糊転写済みの用紙Ｐｎを延長して前端部Ｐｆから後端部Ｐｋまでの間を短い用紙長さＬ１にこの短い用紙長さＬ１に対応して設定される所定の延長量Ｌαを加算して延長量加算長さＬ２を得てから排出しており、この延長量加算長さＬ２と対応した後端部Ｐｋの位置がフルカット位置ＦＣとして設定される。この際、所定の延長量Ｌαの範囲内には糊５４ｎが転写されないので、テープ糊５４を無駄使いすることがない。
【００８４】
上記により、フルカット位置ＦＣで切断された糊転写済みの用紙Ｐｎの前端部Ｐｆを筐体２０の用紙排出口２０ｂから突出させて、この前端部Ｐｆを人手で把持しながら筐体２０の用紙排出口２０ｂから引き抜いた後に、ユーザは糊転写済みの用紙Ｐｎのハーフカット位置ＨＣを人手で切り裂いて、短い用紙長さＬ１の糊転写済みの用紙Ｐｎを得ている。
【００８５】
尚、糊転写済みの用紙Ｐｎ中で切り裂いた延長量Ｌαの部分は破棄するので、所定の延長量Ｌαは人手では把持できる程度の最小量に設定している。
【００８６】
即ち、糊転写済みの用紙Ｐｎを短く形成する場合には、図８（ａ）に示すハーフカット時に、ロール状の用紙Ｐを印刷手段３０内のサーマルヘッド３１と、時計方向に回転している第１プラテンローラ３３とで挟持搬送しながらサーマルヘッド３１により用紙Ｐの表面Ｐａ上にパソコンＰＣ（図１，図２）からのジョブ情報に基づいてメモ情報を短い用紙長さＬ１（図７）内で印刷する。
【００８７】
この後、印刷済みの用紙Ｐは切断手段４０を通り抜けて下流側に搬送される。
【００８８】
ここで、切断手段４０の下流側では、制御手段９０の指令により偏心部材駆動手段８０内に設けた偏心カム８３を回転軸８２を中心にして回転させて、偏心カム８３の大径部８３ａを粘着剤転写用プラテンローラ揺動押圧手段７０内に設けた揺動アーム７１に当接させる。
【００８９】
これに伴って、揺動アーム７１が一端側の支点軸７２を中心にして時計方向に揺動するので、揺動アーム７１の他端側に取り付けた第２プラテンローラ７５が用紙Ｐ及びテープ糊５４を介して転写ローラ５５に圧接すると共に、第２プラテンローラ７５に追従するように用紙搬送ローラ６０が第２プラテンローラ７５に当接する。
【００９０】
そして、第２プラテンローラ７５が反時計方向に回転すると、この第２プラテンローラ７５で圧接される転写ローラ５５は時計方向に回転しながらテープ糊５４に付着させた糊５４ｎを印刷済みの用紙Ｐ上に転写する。これに伴って、糊５４ｎを転写した糊転写済みの用紙Ｐｎは、転写ローラ５５及び用紙搬送ローラ６０と第２プラテンローラ７５とによって用紙搬送方向の下流側に形成した筐体２０の用紙排出口２０ｂに向かって搬送される。
【００９１】
一方、用紙搬送ローラ６０と第２プラテンローラ７５とが接する接点から筐体２０の用紙排出口２０ｂまでの用紙搬送路に沿った排出距離Ｋは、ジョブ情報に基づいて設定された糊転写済みの用紙Ｐｎの短い用紙長さＬ１（図７）よりも長い。従って、短い糊転写済みの用紙Ｐｎは用紙排出口２０ｂから人手で把持できるほど突出しないので、短い用紙長さＬ１（図７）と対応するハーフカット位置ＨＣで切断手段４０の固定カッター４１と可動カッター４２とによりハーフカットする。
【００９２】
この際、用紙Ｐｎの短い用紙長さＬ１（図７）が排出距離Ｋよりも僅かに長く、筐体２０の用紙排出口２０ｂから５〜１０ｍｍ程度突出しても突出量が少ないために人手で把持できにくいので、この場合を含めて、用紙搬送ローラ６０と第２プラテンローラ７５とが接する接点から筐体２０の用紙排出口２０ｂに用紙Ｐｎが僅かに突出した用紙把持可能最小突出距離（Ｋｍｍ＋５〜１０ｍｍ程度）までを排出距離（図示せず）と設定して、この排出距離（図示せず）よりも用紙長さが短くて、筐体２０の用紙排出口２０ｂから突出した用紙Ｐｎを人手で把持できない長さの場合にハーフカットするように制御することが望ましい。
【００９３】
この後、図８（ｂ）に示すフルカット時には、糊５４ｎを転写した糊転写済みの用紙Ｐｎの下方に前記した排出距離Ｋよりも長い延長量加算長さＬ２（図７）でフルカット位置ＦＣが設定されるので、このフルカット位置ＦＣで切断手段４０の固定カッター４１と可動カッター４２とによりフルカットし、この糊転写済みの用紙Ｐｎを更に用紙排出口２０ｂに向けて搬送する。
【００９４】
更にこの後、図８（ｃ）に示す用紙保持時には、制御手段９０により糊転写済みの用紙Ｐｎの後端部ＰｋがカッターＨＰ検出センサ４４を通過したことを検出した後に、制御手段９０の指令により偏心カム８３を回転軸８２を中心にして回転させて、偏心カム８３の小径部８３ｂを揺動アーム７１に当接させる。
【００９５】
これに伴って、揺動アーム７１が一端側の支点軸７２を中心にして反時計方向に揺動するので、揺動アーム７１の他端側に取り付けた第２プラテンローラ７５が転写ローラ５５から離間するも、用紙搬送ローラ６０が第２プラテンローラ７５の揺動に追従して図示左方に移動する。
【００９６】
そして、揺動アーム７１が反時計方向に揺動する動作に伴って、第２プラテンローラ７５の回転を停止させているので、糊転写済みの用紙Ｐｎの後端部Ｐｋが用紙搬送ローラ６０と第２プラテンローラ７５とで保持されて、用紙排出動作が終了する。
【００９７】
このときに、転写ローラ５５は糊転写済みの用紙Ｐｎから離間しているので、用紙排出口２０ｂから突出させた糊転写済みの用紙Ｐｎをテープ糊５４に接触させることなく人手Ｈで把持しながら容易に引き抜くことができる。
【００９８】
そして、ユーザは引き抜いた糊転写済みの用紙Ｐｎのハーフカット位置ＨＣを人手で切り裂いて、短い用紙長さＬ１の糊転写済みの用紙Ｐｎを得ている。
【００９９】
次に、図９（ａ），（ｂ）に示す如く、糊転写済みの用紙Ｐｎを用紙搬送方向に対して長く形成する場合に、パソコンＰＣ（図１，図２）からのジョブ情報に基づいて未印刷の用紙Ｐの表面Ｐａ上に印刷するメモ情報の印刷長さは、前端部Ｐｆから後端部Ｐｋに至るまで長い用紙長さＬ３に予め設定されており、この長い用紙長さＬ３がフルカット位置ＦＣとして設定されている。
【０１００】
また、印刷済みの用紙Ｐの裏面Ｐｂの右端部側に偏奇させて糊（粘着剤）５４ｎを転写するときに、パソコンＰＣ（図１，図２）からのジョブ情報に基づいて糊転写長さも長い用紙長さＬ３に予め設定されている。
【０１０１】
そして、糊転写済みの用紙Ｐｎを長い用紙長さＬ３で切断して筐体２０の用紙排出口２０ｂ（図１，図２）から排出する場合に、長い用紙長さＬ３の糊転写済みの用紙Ｐｎは用紙排出口２０ｂから十分に突出するので、フルカット位置ＦＣで切断された糊転写済みの用紙Ｐｎを人手で把持しながら筐体２０の用紙排出口２０ｂから引き抜いて、長い長用紙さＬ３の糊転写済みの用紙Ｐｎを得ている。
【０１０２】
即ち、糊転写済みの用紙Ｐｎを長く形成する場合には、図１０（ａ）に示すフルカット時に、ロール状の用紙Ｐを印刷手段３０内のサーマルヘッド３１と第１プラテンローラ３３とにより用紙Ｐの表面Ｐａ上にパソコンＰＣ（図１，図２）からのジョブ情報に基づいてメモ情報を長い用紙長さＬ３（図９）内で印刷する。
【０１０３】
この後、印刷済みの用紙Ｐは切断手段４０を通り抜けて下流側に搬送される。
【０１０４】
ここで、切断手段４０の下流側では、制御手段９０の指令により偏心部材駆動手段８０内に設けた偏心カム８３を回転軸８２を中心にして回転させて、偏心カム８３の大径部８３ａを粘着剤転写用プラテンローラ揺動押圧手段７０内に設けた揺動アーム７１に当接させる。
【０１０５】
これに伴って、揺動アーム７１が一端側の支点軸７２を中心にして時計方向に揺動するので、揺動アーム７１の他端側に取り付けた第２プラテンローラ７５が用紙Ｐ及びテープ糊５４を介して転写ローラ５５に圧接すると共に、第２プラテンローラ７５に追従するように用紙搬送ローラ６０が第２プラテンローラ７５に当接する。
【０１０６】
そして、第２プラテンローラ７５が反時計方向に回転すると、この第２プラテンローラ７５で圧接される転写ローラ５５は時計方向に回転しながらテープ糊５４に付着させた糊５４ｎを印刷済みの用紙Ｐ上に転写する。これに伴って、糊５４ｎを転写した糊転写済みの用紙Ｐｎは、転写ローラ５５及び用紙搬送ローラ６０と第２プラテンローラ７５とによって用紙搬送方向の下流側に形成した筐体２０の用紙排出口２０ｂに向かって搬送される。
【０１０７】
一方、用紙搬送ローラ６０と第２プラテンローラ７５とが接する接点から筐体２０の用紙排出口２０ｂまでの用紙搬送路に沿った排出距離Ｋは、糊転写済みの用紙Ｐｎの長い用紙長さＬ３（図９）よりも短いので、この長い糊転写済みの用紙Ｐｎは用紙排出口２０ｂから人手で把持できるほど突出できるために、長い用紙長さＬ３（図９）と対応するフルカット位置ＦＣで切断手段４０の固定カッター４１と可動カッター４２とによりフルカットする。
【０１０８】
この後、図１０（ｂ）に示す用紙排出時には、糊５４ｎを転写した糊転写済みの用紙Ｐｎを用紙排出口２０ｂに向けて更に搬送する。
【０１０９】
更にこの後、図１０（ｃ）に示す用紙保持時には、制御手段９０により糊転写済みの用紙Ｐｎの後端部ＰｋがカッターＨＰ検出センサ４４を通過したことを検出した後に、制御手段９０の指令により偏心カム８３を回転軸８２を中心にして回転させて、偏心カム８３の小径部８３ｂを揺動アーム７１に当接させる。
【０１１０】
これに伴って、揺動アーム７１が一端側の支点軸７２を中心にして反時計方向に揺動するので、揺動アーム７１の他端側に取り付けた第２プラテンローラ７５が転写ローラ５５から離間するも、用紙搬送ローラ６０が第２プラテンローラ７５の揺動に追従して図示左方に移動する。
【０１１１】
そして、揺動アーム７１が反時計方向に揺動する動作に伴って、第２プラテンローラ７５の回転を停止させているので、糊転写済みの用紙Ｐｎの後端部Ｐｋが用紙搬送ローラ６０と第２プラテンローラ７５とで保持されて、用紙排出動作が終了する。
【０１１２】
このときに、転写ローラ５５は糊転写済みの用紙Ｐｎから離間しているので、用紙排出口２０ｂから突出させた糊転写済みの用紙Ｐｎをテープ糊５４に接触させることなく人手Ｈで把持しながら容易に引き抜くことができる。
【０１１３】
ここで、本発明に係るメモプリンタの動作を図２，図７〜図１１を併用して動作順に説明する。尚、以下では、図８及び図１０に示した排出距離Ｋと、図７に示した延長量Ｌαとを制御手段９０内に記憶させた場合について説明するが、排出距離Ｋ及び延長量ＬαをパソコンＰＣ内に記憶させても良いので、排出距離Ｋ及び延長量Ｌαを記憶する記憶手段は制御手段９０又はパソコンＰＣである。
【０１１４】
図１１は本発明に係るメモプリンタの動作を動作順に示している。
【０１１５】
図１１に示す如く、本発明に係るメモプリンタ１０の動作を開始すると、ステップＳ１０において、印刷手段３０は、パソコンＰＣからのジョブ情報に基づいてロール状の用紙Ｐの表面Ｐａ上にメモ情報を用紙長さ（Ｌ１又はＬ３）の範囲内で印刷する。
【０１１６】
次に、ステップＳ１１において、テープ糊カセット５０の転写ローラ５５により印刷済みの用紙Ｐの裏面Ｐｂ上にテープ糊５４に付着させた糊５４ｎを転写する。この際、糊転写長さも用紙長さ（Ｌ１又はＬ３）の範囲内で転写している。
【０１１７】
次に、ステップＳ１２において、制御手段９０は、ジョブ情報によって予め設定された糊転写済みの用紙Ｐｎの用紙長さ（Ｌ１又はＬ３）が、制御手段９０のＲＡＭ９０ｃ内に記憶されている用紙搬送ローラ６０と第２プラテンローラ７５とが接する接点から用紙排出口２０ｂまでの排出距離Ｋよりも短いか否かを問う。
【０１１８】
そして、ステップＳ１２において、糊転写済みの用紙Ｐｎの用紙長さＬ１が前記した排出距離Ｋよりも短いと制御手段９０が判断した場合に、ステップＳ１３で糊転写済みの用紙Ｐｎに対して短い用紙長さＬ１の位置で切断手段４０によりハーフカットする。
【０１１９】
このときに、制御手段９０は、短い用紙長さＬ１と対応した所定の延長量Ｌαを制御手段９０のテーブル９０ｄから読み出して、短い用紙長さＬ１に所定の延長量Ｌαを加算して排出距離Ｋよりも長い延長量加算長さＬ２を得ている。
【０１２０】
この後、ステップＳ１４でハーフカットした糊転写済みの用紙Ｐｎを用紙搬送ローラ６０と第２プラテンローラ７５とにより下流側に向けて搬送して、後述するステップＳ１５に移行する。
【０１２１】
一方、ステップＳ１２で糊転写済みの用紙Ｐｎの用紙長さＬ３が前記した排出距離Ｋよりも長いと制御手段９０が判断した場合に、ステップＳ１５に移行する。
【０１２２】
次に、ステップＳ１５において、用紙長さＬ１が短く且つハーフカットした糊転写済みの用紙Ｐｎの場合には、前記した排出距離Ｋよりも長い延長量加算長さＬ２と対応した後端部Ｐｋの位置でフルカットしているので、排出距離Ｋよりも長くなるようにジョブ情報に基づく用紙長さＬ１に所定の延長量Ｌαを加算した延長量加算長さＬ２で切断することになる。
【０１２３】
一方、用紙長さＬ３が長い糊転写済みの用紙Ｐｎの場合には、長い用紙長さＬ３の後端部Ｐｋの位置でフルカットする。
【０１２４】
尚、フルカットするタィミングは用紙Ｐの後端部Ｐｋが切断手段４０の位置に至ったときであればよく、印刷後、又は、糊転写中、もしくは、糊転写後のいずれの場合でも可能である。
【０１２５】
次に、ステップＳ１６において、糊転写済みの用紙Ｐｎの後端部Ｐｋを用紙搬送ローラ６０と第２プラテンローラ７５とが接する少し手前まで搬送する。
【０１２６】
次に、ステップＳ１７において、糊転写済みの用紙Ｐｎの搬送を停止する。
【０１２７】
次に、ステップＳ１８において、糊転写済みの用紙Ｐｎを用紙搬送ローラ６０と第２プラテンローラ７５とで挟持して保持することで、メモプリンタの動作を終了する。
【０１２８】
この後、筐体２０の用紙排出口２０ｂから突出させた糊転写済みの用紙Ｐｎを人手Ｈで把持しなから糊転写済みの用紙Ｐｎを用紙搬送ローラ６０と第２プラテンローラ７５との間から引き抜く。
【０１２９】
そして、用紙長さＬ１が短く且つハーフカットした糊転写済みの用紙Ｐｎの場合には、糊転写済みの用紙Ｐｎ中のハーフカットした部位を人手Ｈで引き裂いて、用紙長さＬ１が短い糊転写済みの用紙Ｐｎを得ることができる。一方、用紙長さＬ３が長い糊転写済みの用紙Ｐはそのままの状態で得ることができる。
【符号の説明】
【０１３０】
１０…本発明に係るメモプリンタ、
２０…筐体、２０ａ…転写具係合部、２０ｂ…用紙排出口、２０ｃ…ロール紙装填部、
３０…印刷手段、３１…サーマルヘッド、
３２…印刷用プラテンモータ（第１パルスモータ）、
３３…印刷用プラテンローラ（第１プラテンローラ）、
４０…切断手段、４１…固定カッター、４２…可動カッター、
４３…カッターモータ（第２パルスモータ）、４４…カッターＨＰ検出センサ、
５０…粘着剤転写具（テープ糊カセット）、
５１…カセットケース、５１ａ…先端部、５１ｂ…先端開口部、５１ｃ…被係合部、
５２…供給リール、５３…巻取リール、
５４…粘着剤テープ（テープ糊）、５４ｎ…粘着剤（糊）、５５…転写ローラ、
６０…用紙搬送ローラ、６０，７５…用紙搬送ローラ対、
７０…粘着剤転写用プラテンローラ揺動押圧手段、
７１…揺動アーム、７２…支点軸、７３…転写用プラテンモータ（第３パルスモータ）、
７５…粘着剤転写用プラテンローラ（第２プラテンローラ）、７６…圧縮バネ、
８０…偏心部材駆動手段、
８１…偏心カム用モータ（第４ＤＣモータ）、８２…回転軸、
８３…偏心カム、８３ａ…大径部、８３ｂ…小径部、
９０…制御手段、９０ａ…ＣＰＵ、９０ｃ…ＲＡＭ、９０ｄ…テーブル、
ＦＣ…フルカット位置、ＨＣ…ハーフカット位置、Ｈ…人手、Ｋ…排出距離、
Ｌ１…短い用紙長さ、Ｌ２…延長量加算長さ、Ｌ３…長い用紙長さ、
Ｌα…延長量、
Ｐ…用紙、Ｐｎ…粘着剤転写済みの用紙（糊転写済みの用紙）、
Ｐａ…表面、Ｐｂ…裏面、Ｐｆ…前端部、Ｐｋ…後端部。
【図１】
2015080859.tif 000003
【図２】
2015080859.tif 000004
【図３】
2015080859.tif 000005
【図４】
2015080859.tif 000006
【図５】
2015080859.tif 000007
【図６】
2015080859.tif 000008
【図７】
2015080859.tif 000009
【図８】
2015080859.tif 000010
【図９】
2015080859.tif 000011
【図１０】
2015080859.tif 000012
【図１１】
2015080859.tif 000013